(57)【要約】【課題】引戸板を簡単な構造で連動させ、スムースに開閉し得るようにする。【解決手段】並列する複数の各レール５に、それぞれ対のランナー６，６を介して引戸板１を移動自在に設け、一の引戸板１に、その移動方向に移動自在な移動子４を設けるとともに、前記他の引戸板１にも同じく、その移動方向に移動自在な移動子４を設け、両移動子４，４を連結杆１０で連結する。各引戸板１の前記移動子４は、その引戸板１を支持する前記対のランナー６，６の間に配置されて、その対のランナー６，６と同一のレール５に嵌められる。前記一の引戸板１をレール５に沿って移動する際、その移動につれて、前記両移動子４，４及び連結杆１０を介して前記他の引戸板１をレール５に沿って移動するので、引戸板１を連動させる力が移動子４とランナー６との間で同一直線上に作用してスムースにスライドし得る。また、構造が簡単で、各引戸板１を所定の位置に合わせやすい。【選択図】図１
2006028827.tif 000002
【特許請求の範囲】
【請求項１】
並列する複数の各レール５に、引戸板１をそれぞれレール５に沿って移動自在に設け、その一の引戸板１をレール５に沿って移動する際、その移動につれて隣接する他の引戸板１をレール５に沿って移動させる引戸構造において、
前記一の引戸板１に、その移動方向に移動自在な移動子４を設けるとともに、前記他の引戸板１にも同じく、その移動方向に移動自在な移動子４を設け、両移動子４，４を連結杆で連結し、前記一の引戸板１をレール５に沿って移動する際、その移動につれて、前記両移動子４，４及び連結杆１０を介して前記他の引戸１をレール５に沿って移動させるようにしたことを特徴とする引戸構造。
【請求項２】
前記移動子４は、その移動方向に沿うレールに嵌って移動自在であることを特徴とする請求項１に記載の引戸構造。
【請求項３】
前記移動子４は、コロ４ｄを介して前記レールに嵌められることを特徴とする請求項２に記載の引戸構造。
【請求項４】
前記引戸板１は、前記レール５に嵌る対のランナー６，６を介してそのレール５に支持され、その引戸板１の前記移動子４は、その引戸板１の前記対のランナー６，６の間に配置されてその対のランナー６，６と同一のレール５に嵌められることを特徴とする請求項２又は３に記載の引戸構造。
【請求項５】
前記引戸板１は、上部のレール５に支持され、前記移動子４は、その上部のレール５に移動自在であることを特徴とする請求項４に記載の引戸構造。
【請求項６】
前記移動子４、及びその移動子４に当接する前記ランナー６の当接面のいずれかに、弾性体からなる緩衝部材１１を設けたことを特徴とする請求項５に記載の引戸構造。
【発明の詳細な説明】
【技術分野】
【０００１】
この発明は、複数枚の引戸板を開閉する際に、その隣り合う引戸板同士を連動して動くようにした引戸構造に関するものである。
【背景技術】
【０００２】
例えば、キャビネットやクローゼットなど各種の収納器具において、いわゆる引戸構造を有する場合の収納空間の開閉は、器具前面に設けた引戸板をレールに沿って横方向にスライドさせて行われる。
【０００３】
この種の引戸構造において、複数枚の引戸板が設けられていると、その引戸板を一枚一枚別々に開閉しなければならないので、その開閉動作を簡単にするため、引戸板が連動して動くようにした技術が開示されている。
【０００４】
例えば、特許文献１に記載の引戸構造は、クローゼットの上部に複数本のレールを並列して取り付け、その上部レールにそれぞれ、ランナー及び走行軸を介して引戸板を吊下げて走行可能に支持する。一の引戸板の上端部に連動プレートを取り付け、その連動プレートには、前記レール方向に沿って一端を開口した所定長さの溝部を形成し、一の引戸板に取り付けられた連動プレートの溝部には、その引戸板に隣接する他の引戸板の走行軸が嵌るようになっている。
【０００５】
一の引戸板に対し、隣接する他の引戸板が近づいて、その隣り合う二枚の引戸板が所定の重なり度合いに達すると、前記他の引戸板の前記走行軸が、一の引戸板の連動プレートの溝部に嵌ってその溝部開口から奥部へと至り、その後は、二枚の引戸板が一体となり、両者が連動して同方向へ動くようになっている。また、その連動は、引戸の開動作、閉動作いずれの場合においても、隣接する二枚の引戸板が所定の重なり度合いに達した際に、所定の方向へ連動して動くように設定されている。（例えば、特許文献１、特許文献２、特許文献３参照）。
【特許文献１】特開平１１−０７１９６４号公報
【特許文献２】特開２００２−０８１２６５号公報
【特許文献３】特開２００２−０３８８１９号公報
【発明の開示】
【発明が解決しようとする課題】
【０００６】
しかし、上記特許文献の引戸構造では、引戸板自体にそれぞれ対応する連動板に噛み合う突起等を付加して、その噛み合いにより相互に連動させているため、その連動板と突起等がうまく噛み合うよう設定しなければならない。このため、引戸板や連動板の構造が複雑である。
【０００７】
また、上記引戸構造では、引戸板を上部レールに支えるランナー付近と、その引戸板に横方向の力が作用する連動プレート付近との間に高低差がある。このため、連動プレートを介して走行軸に横方向の力が加わると、その走行軸には、連動プレートとの接点である下部に大きな力が作用して、上部のランナー付近にはその力が伝わり難い。このため、走行軸上部、及びランナーは、走行軸下部の動きに追随できず、その走行軸が傾斜してしまうことがある。このように走行軸が傾斜すると、ランナーを移動させようとする力がレール方向に沿って水平に作用し難くなるので、引戸板のスムースな開閉が阻害され、好ましくない。
【０００８】
そこで、この発明は、引戸板を簡単な構造で連動させることを第一の課題とし、スムースに開閉し得るようにすることを第二の課題とする。
【課題を解決するための手段】
【０００９】
上記第一の課題を解決するために、この発明は、隣接する引戸板同士を連動させるように、その各引戸板にそれぞれ同方向に移動する移動子を設けて、その両移動子を連結したのである。このようにすれば、一方の引戸板の移動子は、その一方の引戸板が動くことにより、その引戸板と同方向に動くこととなり、他方の引戸板の移動子は、前記一方の移動子と連結されているので両者が一体に動く。そして、他方の移動子が動くことにより、対応する他方の引戸板を前記一方の引戸板と同方向に動かすことができ、構造が簡単である。
【００１０】
具体的な構成は、並列する複数の各レールに、引戸板をそれぞれレールに沿って移動自在に設け、その一の引戸板をレールに沿って移動する際、その移動につれて隣接する他の引戸板をレールに沿って移動させる引戸構造において、前記一の引戸板に、その移動方向に移動自在な移動子を設けるとともに、前記他の引戸板にも同じく、その移動方向に移動自在な移動子を設け、その両移動子を連結杆で連結する。その一の引戸板をレールに沿って移動する際、その移動につれて、前記両移動子及び連結杆を介して前記他の引戸をレールに沿って移動させるようにしたのである。
【００１１】
このようにすれば、複数の引戸板を別々に動かす必要がなく、各引戸板が常に連動して動いて所定の位置に至るので、その開閉が簡単である。また、連結杆の長さとその連結杆と両移動子との接続位置を適宜設定することにより、隣接する二枚の引戸板が、所定の位置関係を維持し得るようになるので、引戸の開動作、あるいは閉動作の際に、各引戸板を所定の位置に合わせやすい。
【００１２】
また、前記移動子を、その移動方向に沿うレールに嵌って移動自在とすれば、移動子がよりスムースに動き、さらに、その移動子にコロを設けて、そのコロを介して前記レールに嵌めるようにすれば、移動子はさらにスムースに動くので好ましい。
【００１３】
また、第二の課題を解決するために、この発明は、上記構成において、前記引戸板は、前記レールに嵌る対のランナーを介してそのレールに支持され、その引戸板の前記移動子は、その引戸板の前記対のランナーの間に配置されてその対のランナーと同一のレールに嵌められるようにした構成を採用し得る。このようにすれば、ランナーと移動子は同一のレールを走行するので、移動子からランナー、ランナーから移動子へは、そのレールに沿って移動方向に力が作用しやすい。このため、引戸板は、スムースに開閉し得るようになる。
【００１４】
また、前記引戸板を、上部のレールに支持されるようにし、前記移動子は、その上部のレールに移動自在とすれば、前記連結杆は、引戸板の上方に位置するので外部から目立たなくなり、外観上好ましい。
【００１５】
さらに、前記移動子、及びその移動子に当接する前記ランナーの当接面のいずれかに、弾性体からなる緩衝部材を設ければ、移動子とランナーとが当接する際の衝撃を弱め、その衝撃による引戸板同士の横方向へのバウンドを防止して、両者が一体に連動して動きやすくなる。
【発明の効果】
【００１６】
この発明は、以上のようにしたので、引戸板とそれを連動させる部材の構造が簡単であり、また、その連動する引戸板をスムースに開閉し得る。
【発明を実施するための最良の形態】
【００１７】
一実施形態を図１乃至図５に示す。この実施形態の引戸構造は、キャビネット２の前面開口において、その開口３の上部に三本並列して設けられるレール５に、それぞれスライド可能に支持される三枚の引戸板１で構成される。
【００１８】
各引戸板１が支持されるレール５は、図２に示すように、キャビネットの前面開口の上部に固定される基板５ａと、その基板５ａから下方に向かって対向して突出する二つの側面板５ｂ，５ｂとを有する断面コの字型部材を基本とし、その両側面板５ｂ，５ｂの下端縁から内側に向かって伸びる受部５ｃ，５ｃを形成している。この受部５ｃ，５ｃの上面には、それぞれそのレール５の長さ方向に連続する凹部５ｄが形成されており、この凹部５ｄにランナー６のコロ６ｄが載置されて、ランナー６は、コロ６ｄを介してその上を走行できるようになっている。
【００１９】
そのランナー６は、一枚の引戸板１の上部両端に各１個、それぞれ取り付けられる。その構成は、ランナー本体６ａに、前記レール５に直交する方向の車軸６ｂが２本並列してそれぞれ軸周り回転可能に支持されており、各車軸６ｂ，６ｂの両端には、前記コロ６ｄが取り付けられている。また、そのランナー本体６ａの下面には、走行軸７が取り付けられて、引戸板１の上部に接続されている。なお、この走行軸７と引戸板１との接続は、必要により図２に示す周知の吊り金具８を介して行われる。すなわち、前記走行軸７と吊り金具８とが一体となっており、この吊り金具８が、図１に示すように、引戸板１上端の両端縁に設けた掘込部９にすっぽりと嵌って、ビス等により固定される。また、その吊り金具８の側面には、内部にロック機構を有する嵌合孔８ｂが開口しており、キャビネット２側に設けたロック用爪（図示せず）が噛み合って引戸板１を固定し得るようになっている。さらに、その吊り金具８の側面に露出する調整ねじ８ｃを回すことにより、その吊り金具８から走行軸７の突出高さも調整可能となっている。
【００２０】
三枚の引戸板１の各対のランナー６，６が、図１に示すように、それぞれ対応する上部のレール５に走行可能に載置され、走行軸７がそのレール５の受部５ｄ，５ｄ間の下部開口を通過し得るようになっている。引戸板１は、ランナー６を介して吊下げ支持されるようになる。
【００２１】
引戸板１の下部は、図２に示すように、その引戸板１が、キャビネット２の奥行き方向、すなわち、レール５の直角方向に揺れないように誘導するガイド１２，１３，１４が設けられている。その構成は、キャビネット２の最も前方に位置する引戸板１（以下、前方引戸板１という）については、その引戸板１の下面にレール５の長さ方向に沿う溝２２が設けられており、この溝２２に、キャビネット前部開口の下面から上方に向かって突出するガイド１２が嵌って、引戸板１のスライドとともに両者が摺動するようになっている。また、中央に位置する引戸板１（以下、中央引戸板１という）については、その引戸板１の下面に同じくレール５の長さ方向に沿う溝２３が設けられており、この溝２３に、前記前方の引戸板１及び後方の引戸板１（以下、後方引戸板１という）の下端から伸びて、反転した後上方に向かって突出するガイド１３が嵌って、引戸板１のスライドとともに両者が摺動、転動するようになっている。さらに、後方引戸板１には、その下面に下方に向かって突出するコロ２４が設けられており、このコロ２４が、前記キャビネット前部開口下面の溝状のガイド１４に嵌って、引戸板１のスライドとともに両者が摺動、転動するようになっている。上記の構成により、三枚の引戸板１がレール５に沿って誘導されてスムースに移動し得るようになっている。
【００２２】
次に、三枚の引戸板１を連動させる部材について説明すると、前記後方の引戸板１に、その移動方向に移動自在な移動子４を設けて、前記両ランナー６，６の間に配置するとともに、前記レール５の凹部５ｄに、その移動子４のコロ４ｄが載置されて、移動子４は、その上を走行できるようになっている。この移動子４は、引戸板１には連結されておらず、引戸板１と移動子４とが当接しない限り、両者は、レール５上を別々に移動することが可能な状態となっている。
【００２３】
また、中央の引戸板１にも、後方の引戸板１と同様、その移動方向に移動自在な移動子４を設けて、前記両ランナー６，６の間に配置するとともに、前記レール５の凹部５ｄに、その移動子４のコロ４ｄが載置されて、移動子４は、コロ４ｄを介してその上を走行できるようになっている。
【００２４】
この移動子４の構成は、図３に示すように、移動子本体４ａに、前記レール５に直交する方向の車軸４ｂが２本並列してそれぞれ軸周り回転可能に支持されており、各車軸４ｂ，４ｂの両端には、前記コロ４ｄが取り付けられている。
【００２５】
前記後方引戸板１の移動子４と中央引戸板１の移動子４とは、図３に示す連結杆１０によって連結されている。連結杆１０は、レール５に沿う方向に長い本体部１０ａを有し、その本体部１０ａの長さ方向両端部には、レール５直角方向に突出して設けた接続部１０ｂ，１０ｂを形成している。この本体部１０ａには、図示するリブ１０ｃを設けてその強度を向上させている。このリブ１０ｃは、必要により適宜設けられ、省略することも可能である。両移動子本体４ａ，４ａの下面に、連結杆１０の前記接続部１０ｂ，１０ｂがそれぞれビス等を介して取り付けられて、両移動子４，４が連結されている。なお、連結杆１０は、移動子４が前記レール５の上を走行する際に、その走行を阻害しないよう、引戸板１やランナー６に当たらないようになっており、そのように機能する限りにおいて、連結杆１０の形状は自由であり、その連結杆１０と移動子４との接続方法は、周知の方法を採用することができる。
【００２６】
また、移動子本体４のその移動方向両端部には、ゴム素材等の弾性を有する素材で形成された緩衝部材１１が取り付けられている。この緩衝部材１１は、同じレール５上を走行する前記ランナー６のランナー本体６ａの側面に当接し得る位置に取り付けられている。
【００２７】
この引戸構造の作用を説明すると、まず、図４に示すように、三枚の引戸板１がキャビネット２の前部開口３を完全に閉じる状態になるよう、所定の重なり部ｗを維持して配置されている。図中左側に示す後方引戸板１は、前記開口３の左側側壁に接した状態にあり、その側壁側に位置するランナー６の右側には、同じレール５上を走行し且つその側壁側のランナー６と一体のブレーキ部６’を有している。また、図中の中央に示す中央引戸板１を挟んで、図中右側には、前方引戸板１が設けられており、この前方引戸板１は前記開口３の右側側壁に接した状態にある。この前方引戸板１には移動子４を設けていないので、前方引戸板１は、他の引戸板１とは連動しない状態となっている。
【００２８】
引戸を開放する際には、図４（ａ）に示す後方引戸板１の左側端部に設けた取手部１５を掴み、その後方引戸板１を図中の矢印のように右側へスライドさせると、所定の開度に達したところで、図４（ｂ）に示すようにランナー６と一体のブレーキ部６’が、その後方引戸板１の移動子４に当接する。さらに引戸板１を右側へスライドさせると、後方引戸板１とともに、その当接した移動子４が右側へスライドする。このとき、後方引戸板１の移動子４と中央引戸板１の移動子４とは、連結杆１０で連結されているので、前記後方引戸板１がスライドして移動につれて、前記両移動子４，４及び連結杆１０も右側に移動し、やがて図４（ｃ）に示すように、中央引戸板１の移動子４が、その中央引戸板１の右側のランナー６に当接する。この後、さらに引戸板１を右側にスライドさせると、前記後方引戸板１と中央引戸板１とは、その両移動子４，４及び連結杆１０を介して連動して動き、両引戸板１，１がともに、それぞれ対応するレール５に沿って移動し、図４（ｄ）に示す引戸の開放状態に至る。
【００２９】
次に、引戸を閉じる際には、図５（ａ）に示す後方引戸板１の左側端部に設けた取手部１５を掴み、その後方引戸板１を図中の矢印のように左側へスライドさせる。後方引戸板１が、所定の開度に達したところで、図５（ｂ）に示すように、その後方引戸板１の右側ランナー６が、その後方引戸板１の移動子４に当接する。さらにその後方引戸板１を左側へスライドさせると、後方引戸板１とともに、その当接した移動子４が左側へスライドする。このとき、前記両移動子４，４及び連結杆１０も左側に移動し、やがて図５（ｃ）に示すように、中央引戸板１の移動子４が、その中央引戸板１の左側のランナー６に当接する。この後、さらに後方引戸板１を左側にスライドさせると、前記後方引戸板１と中央引戸板１とは、その両移動子４，４及び連結杆１０を介して連動して動き、両引戸板１，１がともに、それぞれ対応するレール５に沿って移動し、図５（ｄ）に示す引戸を完全に閉じた状態に至る。
【００３０】
この引戸板１の開閉の過程で、引戸板１を連動させる力は、前記移動子４とランナー６との間で、そのレール５に沿って同一直線上に作用するので、引戸板１を動かそうとする力はレール５に沿って無駄なく作用して引戸板１がスムースにスライドし得る。また、図中右側に示す前方引戸板１は、上記一連の操作では動いていないが、キャビネット２の収納空間内において、その前方引戸板１の後方に位置する収納物を出し入れする際には、その前方引戸板１の適宜の位置に設けた取手部を掴んで左側にスライドさせれば、前方引戸板１が単独で開閉し得るようになっている。
【００３１】
なお、この実施形態では、一つのランナー６に対して車軸６ｂを二本設けたが、この実施形態には限定されず、車軸６ｂの数は自由であり、引戸板１の走行、スライドに支障なければ、例えば、一本の車軸６ｂで構成したランナー６を採用してもよい。また、移動子４の車軸４ｂについても同様にその数は自由であり、図６に示すように、一本の車軸４ｂで構成してもよい。
【００３２】
また、この実施形態では、引戸板１をランナー６を介して支持するレール５を、その引戸板１の上部にのみ設け、引戸板１の下部には、そのスライドを誘導するガイド等を設けたが、このガイド等の態様は自由である。また、そのガイド等に代えて、引戸板１の上下双方にレール５を配置して、その上下レール５にそれぞれランナー６を配置して引戸板１を上下レール５，５に支持するようにしてもよい。このとき、移動子４は、引戸板１の上下双方に配置して、それぞれ上下レール５，５に移動可能に設けてもよいし、引戸板１の上下いずれか一方に設けてもよい。
【００３３】
なお、移動子４のスムースな移動、スライドは多少劣ることとなるが、移動子４がコロ４ｄを有さない構成も考えられる。また、移動子４が引戸板１を支持するレール５に嵌らないで、他に独立して設けたレールに嵌るか、あるいは、移動子４が、レールを介さないで他の周知の誘導機構を通じて引戸板１の移動方向に移動自在になっている構成も考えられる。例えば、隣り合う前記両引戸板１，１の対向する側面間に向かい合う対のレール、あるいは対の誘導機構を設け、各移動子４，４が、それぞれその対のレール、あるいは対の誘導機構によって引戸板１の移動方向に沿って移動自在となっており、また、前記連結杆１０は、両引戸板１，１に挟まれた空間内で、その引戸板１に支障しないように配置されている構成などである。
【００３４】
このような構成において、前記一の引戸板１をレール５に沿って移動する際、その移動につれて、前記両移動子４，４及び連結杆１０を介して前記他の引戸板１をレール５に沿って移動させるためには、両引戸板１，１が所定の重なり度合いに達した際に、その移動子４が、前記ランナー６に当接することに代えて、その両引戸板１，１のいずれかの部分、例えば、そのレールや前記誘導機構の端部に設けた壁部等に当接するとともに、その当接により両引戸板１，１が前記両移動子４，４及び連結杆１０を介して連動して動くするようにすれば、同様の機能を発揮し得る。
【００３５】
なお、この引戸構造に使用される引戸板１の枚数は、三枚には限定されず、使用する枚数、及び、その複数の引戸板１のうち相互に連動させる引戸板１の組み合わせは自由である。例えば、三枚以上の引戸板１を有する構成において、隣接する引戸板１，１同士を前記移動子４及び連結杆１０を介して次々と連結して、三枚以上の引戸板１がそれぞれ隣接する引戸板１に連動するようにした構成も採用し得る。また、逆に、二枚の引戸板１，１で前記開口３を閉じるように構成された引戸構造において、その開口３の側方にいわゆる戸袋部を設けてその両引戸板１，１をともにその戸袋部に収納可能とするとともに、その二枚の引戸板１，１を上記構成にて連動させるようにした構成も採用し得る。
【００３６】
もちろん、この引戸構造は、実施形態に示すキャビネット２以外でも採用可能であり、同じ引戸タイプの開閉機構を有するクローゼットのような各種収納器具や、あるいは、間仕切り戸や窓のサッシ等にも採用可能である。
【図面の簡単な説明】
【００３７】
【図１】一実施形態の要部を示す分解斜視図
【図２】同実施形態の断面図
【図３】同実施形態の連結杆を示す詳細図
【図４】同実施形態の引戸の開動作時の作用を示す説明図
【図５】同実施形態の引戸の閉動作時の作用を示す説明図
【図６】他の実施形態の連結杆を示す詳細図
【符号の説明】
【００３８】
１  引戸板
２  キャビネット
３  開口
４  移動子
４ａ  移動子本体
４ｂ，６ｂ  車軸
４ｄ，６ｄ  コロ
５  レール
５ａ  基板
５ｂ  側面板
５ｃ  受部
５ｄ  凹部
６  ランナー
７  走行軸
８  吊り金具
９  掘込部
１０  連結杆
１１  緩衝部材
１２，１３，１４  ガイド
２２，２３  溝
２４  コロ
【図１】
2006028827.tif 000003
【図２】
2006028827.tif 000004
【図３】
2006028827.tif 000005
【図４】
2006028827.tif 000006
【図５】
2006028827.tif 000007
【図６】
2006028827.tif 000008